(57)【要約】【課題】引っ張り力に弱く破れやすいメラミンフォームの弱点を補い、洗剤いらずの特性を生かして用途の範囲を広げるとともに、曲面への追従性と密着性に優れたメラミンフォーム用のホルダーを有するクリーナーを提供する。【解決手段】裏面がほぼ球面又は湾曲面をなして窪んだ弾力性を有するホルダー１に板状のメラミンフォーム７を組み合わせ、その中心部又は中心線上を圧縮係止して面的に保持する。【選択図】    図１
2004202149.tif 000002
【特許請求の範囲】
【請求項１】
裏面がほぼ球面又は湾曲面をなして窪んだ吸盤型又は寄せ棟型又は切り妻屋根型のホルダー（１）に板状のメラミンフォーム（７）を組み合わせ、該メラミンフォーム（７）の中心部又は中心線上をホルダー（１）の裏面に圧縮係止して、面的に保持したことを特徴とするクリーナー。
【請求項２】
上記ホルダー（１）を弾力性を有する軟質の合成樹脂で成型し、その上面に、ノブ（２）と、ノブ（２）を貫通してホルダー（１）の裏面に達する縦型の貫通孔（３）を設け、該貫通孔（３）上部の開口部に係止部（４）を形成して、長ピン（５）と組み合わせた請求項１記載のクリーナー。
【請求項３】
上記貫通孔（３）下部の開口部に係止部（４）を形成して、短ピン（５′）又は解除ピン（９）と対をなす短ピン（５′）と組み合わせた請求項２記載のクリーナー。
【請求項４】
上記ノブ（２）に横方向へ貫通する横型の貫通孔（３′）を設け、ホルダー（１）の裏面から該貫通孔（３′）に通じる係止部（４）を形成して、短ピン（５′）又は連ピン（５″）と組み合わせた請求項２記載のクリーナー。
【請求項５】
板状のメラミンフォーム（７）の中心部又は中心線上に単数又は複数の十字形のスリット（８）又は小穴を設け、該スリット（８）又は小穴に短ピン（５′）又は連ピン（５″）を埋設したことを特徴とするメラミンフォーム（７）、又は該メラミンフォーム（７）を組み合わせた請求項１〜４のいずれかの項記載のクリーナー。
【請求項６】
先端にノズル（１５）を有する中空軸（１４）からなるハンドル（１１）を組み合わせた請求項１〜５のいずれかの項記載のクリーナー。
【請求項７】
レバー（１２）によって押し出されて長ピン（５）又は解除ピン（９）に当接するロッド（１３）を設けたハンドル（１１′）を組み合わせた請求項２〜４のいずれかの項記載のクリーナー。
【発明の詳細な説明】
【０００１】
【発明の属する技術分野】
本発明はメラミンフォームを用いたクリーナーに関する。
【０００２】
【従来の技術】
従来のメラミンフォームにおいては、その材質的な脆さが問題とされ、加熱圧縮などの製造上の工夫（特許公開２００２−５９４４３）がなされてきたが、引っ張り力に弱く破れやすいメラミンフォームの弱点がまだ十分に解消されたとは言い難かった。
【０００３】
【発明が解決しようとする課題】
そのため、従来のメラミンフォームにおいては小さくカットしたものがそのまま用いられ、洗剤いらずの優れた特性にもかかわらず、用途の範囲が限られるという問題があった。
【０００４】
本発明は引っ張り力に弱く破れやすいメラミンフォームの弱点を補い、その洗剤いらずの特性を生かして用途の範囲を広げるとともに、曲面への密着性と追従性に優れたホルダーを有するクリーナーを提供することを目的としている。
【０００５】
【課題を解決するための手段】
上記目的を達成するために、本発明におけるクリーナーにおいては、裏面がほぼ球面又は湾曲面をなして窪んだ吸盤型又は寄せ棟型又は切り妻屋根型のホルダー１に板状のメラミンフォーム７を組み合わせ、その中心部又は中心線上をホルダー１裏面に圧縮係止して面的に保持してある。
【０００６】
【発明の実施の形態】
発明の実施の形態を実施例にもとづき図面を参照して説明する。
図１〜５に示すホルダー１は、その上面に、縦横いずれかの貫通孔３、３′を有するノブ２を設けて弾力性を有する軟質の合成樹脂で吸盤型又は寄せ棟型又は切り妻屋根型に成型し、裏面に球面又は湾曲面を形成して適度に窪ませる。ホルダー１の平面形状は円形、方形に限らない。張り出したスカート状又は屋根状の部分は中心部から周縁部乃至辺縁部にかけて徐々に肉薄に形成し、メラミンフォーム７を取り付けて押しつけた力がほぼ均一にかかるようにする。図１に示す実施例の場合はノブ２にホルダー１裏面に達する縦型の貫通孔３を設け、その上部開口部をすぼめて係止部４を形成し、図２〜４に示す実施例の場合は該貫通孔３下部の開口部をすぼめて係止部４を形成して、前者に長ピン５、後者に短ピン５′又は解除ピン９と対をなす短ピン５′を組み合わせる。図５に示す実施例の場合はノブ２に横方向への貫通孔３′を設け、ホルダー１裏面から該貫通孔３′に通じる係止部４を形成して短ピン５′又は連ピン５″を組み合わせる。係止部４は円形のツバ状又は直線的なボタン穴状にホルダー１と一体に形成し、長短のピン５、５′又は連ピン５″に押し広げられて小球状体６を受け入れたのち、くびれの部分に嵌合して係止するようにする。ホルダー１裏面に位置する貫通孔３又は係止部４の入り口は、いずれも係止されたピン頭が突出しないように適宜窪ませる。ノブ２を別体に設けてホルダー１に嵌め込んでもよい。
【０００７】
メラミンフォーム７はホルダー１の平面形状より一回り大きい適切な形状の板状に成形し、中央部又は中心線上に単数又は複数の十字形のスリット８を設ける。該スリット８は一文字の切れ目又は小穴でもよい。スリット８を見分けるにはメラミンフォーム７を軽く折り曲げてみればよい。
【０００８】
図１に示す実施例の長ピン５は軸の先端がくびれて小球状体６をなす有頭の押しピン型に硬質の適切な合成樹脂で成型し、頭部は上面が窪んだ皿形に形成する。長ピン５を用いてメラミンフォーム７をホルダー１に取り付けるときは、十字形のスリット８又は小穴にピン軸を通してからメラミンフォーム７を平らな面に置き、ホルダー１裏面の貫通孔３の開口部に軸先端を差し込んでホルダー１をメラミンフォーム７に押しつければ、メラミンフォーム７を圧縮係止しながら軸先端が貫通孔３上部の係止部４に嵌合し、小球状体６を露出させる。取り外すときは小球状体６を押し込めばよい。長ピン５は主として反復使用を目的とするが、使い切りとしてもよい。軸の付け根は適宜細めてもよい。
【０００９】
図２〜５に示す短ピン５′と連ピン５″は、皿形の頭部から直にくびれて小球状体６をなす小型の押しピン型に硬質の適切な合成樹脂で成型する。連ピン５″は適切な間隔を置いて複数個の短ピン５′の頭部と頭部を細帯状の連結部で連結し、一体に設ける。短ピン５′又は連ピン５″は使用時に取り付けてもよいが、あらかじめ十字形のスリット８又は小穴を設けた板状のメラミンフォーム７に埋設し、メラミンフォーム７とともに使い切りとすることが望ましい。短ピン５′又は連ピン５″を埋設したメラミンフォーム７を取り付けるときは、該メラミンフォーム７を平らな面に置き、そのほぼ中央に図２〜４のいずれかに示すホルダー１をあてがって押しつければ、ホルダー１に押されてメラミンフォーム７の中心部が陥没し、小球状体６が露出して下降していた解除ピン９を押し上げながら貫通孔３、３′下部又は底辺に形成された係止部４に嵌合し、メラミンフォーム７をホルダー１裏面に圧縮係止する。取り外すときは、解除ピン９を押し込めば使い切ったメラミンフォーム７とともに短ピン５′が押し出される。図５の実施例の場合は取り付け方は同じだが、取り外すときはピン頭にタブ１６を設けてつまみ取り口とするか、連ピン５″の連結部をつまみ取り口とする。
【００１０】
メラミンフォーム７は中央部又は中心線上を圧縮係止されて漏斗状又は連続した漏斗状に窪まされるが、使用時は圧縮されてほぼ平坦になり、ホルダー１によって面的に保持され、すり減ってもホルダー１裏面に張り付いて横ずれと引っ張り力による破断を防止される。メラミンフォーム７は絶えず摩耗し続けるので、流水で洗い流せば常に清潔感を保てる。本品は消耗品なので、別に補充品を用意する。
【００１１】
図２〜４に示す解除ピン９は硬質の適切な合成樹脂で、一端の径が段差をなしてやや細まったスピンドル状に成型し、細まった部分が上面に突き出るようにして上下動自在に貫通孔３に挿入し、別に設ける穴あきのカバー１０をノブ２に嵌め込んで抜け止めとする。解除ピン９のもう一端は係止された短ピン５′の小球状体６に当接する。連ピン５″と組み合わせる場合は連結させてもよい。
【００１２】
図１〜５に示す実施例のカバー１０とＵチャンネル１０′は、金属又は硬質の樹脂などで別に成型し、前述の解除ピン９の抜け止めとしたり、ノブ２に剛性を持たせたり、持ちやすくしたり、ハンドル１１、１１′を取り付けるときにノブ２に嵌め込んで用いるようにする。
【００１３】
図４に示す実施例は、吸盤型の類型とも言うべき寄せ棟型のホルダー１に連ピン５″を組み合わせ、解除ピン９を連結して設けて手持ち用としてある。図では平面形状が長方形をなす形に設けられているが、長円形や楕円形としてもよい。
【００１４】
図５に示す実施例は、切り妻屋根型のホルダー１の上面に棟型のノブ２を設け、Ｕチャンネル１０′を組み合わせてある。本実施例は小型にして手持ち用としても、横長のスクレーパー型にしてガラス拭き用や広い面積用としてもよい。
【００１５】
図１に示すハンドル１１は、ハンドル１１自体を中空軸１４として、該中空軸１４の先端にノズル１５を設け、水をかけながら作業をしたりすすぎができるようにして、カバー１０の側面に軸穴又は回動軸を設けて図１〜５に示すホルダー１に回動自在に取り付ける。ノズル１５はわずかに下向きに角度をつけて設け、すすぎの際に上方へ跳ね上げたホルダー１に水がかからないようにする。
【００１６】
図２に示すハンドル１１′は、解除ピン９を設けたホルダー１や短ピン５′又は連ピン５″を埋設したメラミンフォーム７と組み合わせ、主にトイレ用として用いることを目的とする。ハンドル１１′は軸内又は軸裏に貫通孔又は溝を設けてスライド式のロッド１３を取り付け、手元のレバー１２で押し出せるようにして、解除ピン９を設けたホルダー１に回動自在に取り付ける。ハンドル１１′の取り付けには、側面に軸穴又は回動軸を設けたカバー１０を用いる。また取り付け部には、ハンドル１１′がホルダー１に対して鉛直をなす位置でロックされるように、やや強めのクリックを設ける。ハンドル１１′のロック、ロック解除は、ホルダー１を適当な物に押し当ててハンドル１１′の角度を変えることによって行い、使い切ったメラミンフォーム７を取り外すときは、ハンドル１１′を鉛直に立ててロックさせ、ホルダー１を浮かした状態でレバー１２をスライドさせてロッド１３を押し出し、解除ピン９を押し込めばよい。ロッド１３は手動で出し入れしてもよいが、バネなどで自動的に引っ込むようにするとなおよい。ピンを埋設した新しいメラミンフォーム７を取り付けるには、ハンドル１１′を鉛直に立てて上述の項（
【０００９】）で説明した要領でホルダー１を押しつければよいので、着脱に際しては不潔な部分にいっさい触れずにすむ（図３参照）。該ハンドル１１′を図１に示す実施例のホルダー１に取り付けてもよい。
【００１７】
図１〜５に示す実施例のクリーナーを手持ちとする場合はノブ２自体を取っ手とし、高所用やトイレ用とする場合はハンドル１１、１１′を取り付ける。
【００１８】
本発明のホルダー１を他の発泡体や不織布などに用いることも可能である。
【００１９】
【発明の効果】
本発明は以上のように構成されているので、以下に記載されるような効果を奏する。
【００２０】
板状のメラミンフォーム７を圧縮係止して面的に保持することにより、引っ張り力に弱く破れやすいメラミンフォーム７の弱点が補われ、洗剤いらずの特性が生かされて浴室用やトイレ用などとして用途の範囲が広がる。
【００２１】
弾力性を有するホルダー１により、曲面への追従性と密着性に優れ、浴槽内の四隅や便器の隠れた部分に柔軟に対応する。
【００２２】
ハンドル１１、１１′が設けられていることにより、作業が効率的になり、不潔な部分に触れずに摩耗したメラミンフォーム７の交換ができる。
【００２３】
【図面の簡単な説明】
【図１】本発明の長ピンを用いた吸盤型のホルダーの実施例を示す縦断面図である。
【図２】本発明の短ピンを用いた解除ピンを有する吸盤型のホルダーの実施例を示す縦断面図である。
【図３】本発明の短ピンを埋設したメラミンフォームと解除ピンを有する吸盤型のホルダーの実施例を示す縦断面図である。
【図４】本発明の寄せ棟型のホルダーの実施例を示す斜視図（一部透視図）である。
【図５】本発明の切り妻屋根型のホルダーの実施例を示す斜視図（一部透視図）である。
【符号の説明】
１  ホルダー
２  ノブ
３  縦型の貫通孔
３′横型の貫通孔
４  係止部
５  長ピン
５′短ピン
５″連ピン
６  小球状体
７  メラミンフォーム
８  スリット
９  解除ピン
１０  カバー
１０′Ｕチャンネル
１１  ノズル付きのハンドル
１１′ロッド付きのハンドル
１２  レバー
１３  ロッド
１４  中空軸
１５  ノズル
１６  タブ
【図１】
2004202149.tif 000003
【図２】
2004202149.tif 000004
【図３】
2004202149.tif 000005
【図４】
2004202149.tif 000006
【図５】
2004202149.tif 000007